(57)【特許請求の範囲】
【請求項１】
ケースと、該ケースに内蔵され、両端にフランジ部が一体形成されたコイルボビンとを有する電磁ポンプにおいて、
前記ケースの内周面に形成された環状の係合凹溝と、
前記コイルボビンのフランジ部の外周に形成され、前記ケースの環状の係合凹溝に係合する複数の係合突起と、
からなり、前記ケースと前記コイルボビンが合成樹脂からなることを特徴とする電磁ポンプ。
【請求項２】
ケースと、該ケースに内蔵され、両端にフランジ部が一体形成されたコイルボビンと、前記ケースの端部に被せられるキャップとを有する電磁ポンプにおいて、
前記ケースの内周面に形成された環状の係合凹溝と、
前記コイルボビンのフランジ部の外周に形成され、前記ケースの環状の係合凹溝に係合する複数の係合突起と、
前記ケースの内周面に形成され、前記キャップの外周面が嵌合する環状の嵌合凹溝と、
からなり、前記ケース、前記コイルボビン及び前記キャップが合成樹脂からなることを特徴とする電磁ポンプ。
【請求項３】
前記複数の係合突起が設けられた位置よりも内側のフランジ部に設けられたスリットを有することを特徴とする請求項１又は請求項２記載の電磁ポンプ。
【請求項４】
前記コイルボビンのフランジ部に立設された脚部と、該脚部に形成された係合凹部と、該係合凹部に係合されるプリント基板と、を有することを特徴とする請求項ないし請求項３のいずれか１項記載の電磁ポンプ。
【請求項５】
前記コイルボビンのフランジ部に設けられた嵌合突起と、磁極板に形成され、前記嵌合突起が挿入される嵌合孔と、を有することを特徴とする請求項１ないし請求項４のいずれ１項記載の電磁ポンプ。
【請求項６】
前記ケースの流体出口側に設けられた筒状の嵌合凹穴と、該筒状の嵌合凹穴に一方の端部が嵌め込まれるシリンダーと、前記キャップに設けられ、シリンダーの他方の端部が嵌め込まれる筒部と、を有することを特徴とする請求項２ないし請求項５のいずれか１項記載の電磁ポンプ。
【請求項７】
前記ケースの流体出口側に形成された斜面部と、該斜面部とシリンダー及び磁極板とによって囲まれた空間に配置されたシールリングと、を有することを特徴とする請求項１ないし請求項６のいずれか１項記載の電磁ポンプ。
【発明の詳細な説明】
【０００１】
【発明の属する技術分野】
本発明はプランジャを電磁的に作動させて流体を給送する電磁ポンプの改良に関し、更に詳しくは材料の一部を合成樹脂化した電磁ポンプ関する。
【０００２】
【従来の技術】
従来、電磁ポンプはケースやキャップ、コイルビン等を金属材料のプレス成形品で構成していた。（実公平５ー４３３２８号公報参照）
これを図４で説明すると、電磁ポンプのケース１は金属のプレス成形品で構成されており、その内部にコイルボビン２、コイル３、シリンダー４、プランジャ５、磁極板６、プリント基板７が装着され、ケース１の端部からキャップ８を挿入してかしめ部９で該キャップ８をかしめ止めしている。
【０００３】
【発明が解決しようとする課題】
ところが、金属のプレス成形品でケースやキャップを構成すると、かしめによって互いに固定することができるので、組立て工程が簡単である反面、装置全体の重量が重くなってしまったり、部品コストが高くなってしまうという問題点がある。
【０００４】
一方、上記欠点を改善するには、材料のコストが低価格であり、かつ軽量な合成樹脂を採用すると良いが、部品材料を合成樹脂化すると、金属のようにかしめ止めができないので、互いに固定することが困難であり、組立て工程がふくざつとなってしまう。
【０００５】
そこで、本発明の目的は、上記従来公知の金属部品からなる電磁ポンプ構造の持つ欠点を改善し、合成樹脂部品を使用しながらも簡単に互いの部品を固定することがてきるようにした
【０００６】
【課題を解決するための手段】
本発明の特徴とするところは次の構成にある。
ケースと、該ケースに内蔵され、両端にフランジ部が一体形成されたコイルボビンとを有する電磁ポンプにおいて、前記ケースの内周面に形成された環状の係合凹溝と、前記コイルボビンのフランジ部の外周に形成され、前記ケースの環状の係合凹溝に係合する複数の係合突起と、からなり、前記ケースと前記コイルボビンが合成樹脂からなること。
【０００７】
本発明の他の特徴とするところは、ケースと、該ケースに内蔵され、両端にフランジ部が一体形成されたコイルボビンと、前記ケースの端部に被せられるキャップとを有する電磁ポンプにおいて、前記ケースの内周面に形成された環状の係合凹溝と、前記コイルボビンのフランジ部の外周に形成され、前記ケースの環状の係合凹溝に係合する複数の係合突起と、前記ケースの内周面に形成され、前記キャップの外周面が嵌合する環状の係合凹溝と、からなり、前記ケース、前記コイルボビン及び前記キャップが合成樹脂からなることにある。
【０００８】
本発明の更に他の特徴とするところは、前記複数の係合突起が設けられた位置よりも内側のフランジ部に設けられたスリットを有するところにあり、更には前記コイルボビンのフランジ部に立設された脚部と、該脚部に形成された係合凹部と、該係合凹部に係合されるプリント基板と、を有するところにある。
【０００９】
本発明の他の特徴とするところは、前記コイルボビンのフランジ部に設けられた嵌合突起と、磁極板に形成され、前記嵌合突起が挿入される嵌合孔と、を有するところにあり、更には前記ケースの流体出口側に設けられた筒状の嵌合凹穴と、該筒状の嵌合凹穴に一方の端部が嵌め込まれるシリンダーと、前記キャップに設けられ、シリンダーの他方の端部が嵌め込まれる筒状と、を有するところにあり、また前記ケースの流体出口側に形成された斜面部と、該斜面部とシリンダー及び磁極板とによって囲まれた空間に配置されたシールリングと、を有するところにある。
【００１０】
【発明の実施の形態】
以下、図１ないし図３を参照して、本発明の好ましい実施例構造について説明する。
電磁ポンプのケース１１は合成樹脂で構成され、その内部にはコイルボビン１２及びシリンダー１３が設けられている。
【００１１】
コイルボビン１２は合成樹脂で構成されており、コイル１４が巻回保持される円筒部１２Ａと両端のフランジ部１２Ｂ、１２Ｃとからなっている。一方のフランジ部１２Ｂの周縁には複数の脚部１２Ｄが立設されている。脚部１２Ｄの先端付近には係合凹部１５が形成されている。この係合凹部１５にはプリント基板１６が嵌合されて保持されている。
【００１２】
係合凹部１５の基端の外側には係合突起１７が形成されており、該係合突起１７はケース１１の内周面に環状に切られた係合凹溝１８に嵌合されている。
前記係合突起１７の係合凹溝１８への嵌合を容易とするため、係合凹部１５の内側のフランジ部１２Ｂには円弧状のスリット１９が切られている。このスリット１９によって、係合突起１７が係合凹溝１８へ嵌合する際に、係合突起１７が半径方向に弾性変形することを助けるものである。
【００１３】
コイルボビン１２の両端に形成されたフランジ部１２Ｂ、１２Ｃの外側には磁極板２０Ａ、２０Ｂが設けられている。プリント基板１６側の磁極板２０Ａには嵌合孔２２が設けられており、フランジ部１２Ａに設けられた嵌合突起２１が該嵌合孔２２に挿通されることにより磁極板２０Ａはフランジ部１２Ｂに固定されている。
【００１４】
コイルボビン１２の内側のはシリンダー１３が設けられている。シリンダー１３は流体の通路であり、内部にはブランジャ２３が揺動自在に設けられている。ブランジャ２３はコップ状となっており、その底壁には傘弁２４が固定されている。傘弁２４はプランジャ２３の底壁に形成された弁口２５を開閉するものである。
【００１５】
シリンダー１３の一方の端部はケース１１に設けられた筒状の嵌合凹穴１１Ａに嵌合されており、他方の端部はキャップ２６に設けられた筒部２６Ａに嵌め込まれている。筒部２６Ａの内側は流体の通路となっており、キャップ２６に設けられた筒状のポート２６Ｂから流入した流体の出口端となっている。そして、該筒部２６Ａにはダックビルタイプの逆止弁２７が設けられている。筒部２６Ａとブランジャ２３の底壁との間にはスプリング２８が設けられ、該スプリング２８によって電磁的に移動されたブランジャ２３が元の位置に戻される。
【００１６】
キャップ２６はケース１１の内部に環状に形成された嵌合凹溝２９に嵌め込まれることによってケース１１に固定されている。
また、ケース１１には流体の出口ポート１１Ｂが形成されており、該出口ポート１１Ｂ側のケース１１内部には斜面部１１Ｃが形成されている。この斜面部１１Ｃにはシールリング３０が設けられ、該シールリング３０はケース１１の斜面部１１Ｃ、シリンダー１３、及び磁極板２０Ｂと接することにより、嵌合凹穴１１Ａを介して流出する流体の漏れを確実に防止するものとなっている。
【００１７】
以上のように構成された本発明の電磁ポンプの作用を述べると、以下のとおりである。
コイル１４に通電されると、プランジャ２３がスプリング２８の押圧力に打ち勝って図の上方向に移動する。すると、プランジャ２３と逆止弁２７との間に溜められた流体が傘弁２４を開いて出口ポート１１Ｂへ流出する。
次に、コイル１４への通電をカットすると、プランジャ２３はスプリング２８によって図の下方向に移動される。この時、傘弁２４は閉じており、逆止弁２７は開くので、プランジャ２３と逆止弁２７との間に筒部２６Ａを介して流体が流入して溜められる。
上記作用を繰り返すことにより、流体が給送されるものである。
【００１８】
以上の説明において、合成樹脂という場合、例えば次のような合成樹脂を含むものである。
すなわち、ポリアセタール（商標名、ジュラコン）、ポリアミド（商標名、ナイロン）、アクリルースチレン共重合体、ポリブチレンテレフタレート、ポリエチレンテレフタレート、ポリフェニレンサルファイト、ポリサルフォン、ポリエーテルサルフォン、ポリカーボネート、ポリプロピレン、ポリ四ふっ化エチレン、ポリ三ふっ化エチレン、ポリイミド、ポリアミドイミド、が含まれる。
そして、それぞれの合成樹脂の中から使用されるべき合成樹脂を選定するには、コスト、軽量化、等の目的に応じて選定される。
【００１９】
【発明の効果】
以上のように構成され、作用する本発明によると、以下に示すような効果を奏する。
材料として合成樹脂を使用しているので、材料のコストが低価格であり、かつ軽量な装置とできる。
嵌合構造や係合構造によって互いに部品どうしを固定するので、組立て工程が簡単である。
流体の出口側のシールが確実なものとなる。
【図面の簡単な説明】
【図１】図１は、本発明の一実施例を示す電磁ポンプの断面図である。
【図２】図２は、図１の電磁ポンプのコイルボビンの断面図である。
【図３】図３は、コイルボビンの平面図である。
【図４】図４は、従来公知の電磁ポンプを説明するための部分断面図である。
【符号の説明】
１１  ケース
１１Ａ  嵌合凹穴
１１Ｂ  出口ポート
１１Ｃ  斜面
１２  コイルボビン
１２Ａ  円筒部
１２Ｂ  フランジ部
１２Ｃ  フランジ部
１２Ｄ  脚部
１３  脚部
１４  コイル
１５  係合凹部
１６  プリント基板
１７  係合突起
１８  係合凹溝
１９  スリット
２０Ａ  磁極板
２０Ｂ  磁極板
２１  嵌合突起
２２  嵌合孔
２３  プランジャ
２４  傘弁
２５  弁口
２６  キャップ
２６Ａ  筒部
２６Ｂ  ポート
２７  逆止弁
２８  スプリング
２９  嵌合凹溝
３０  シールリング
代理人  弁理士  辻  三郎
【図１】
0003683343.tif 000002
【図２】
0003683343.tif 000003
【図３】
0003683343.tif 000004
【図４】
0003683343.tif 000005